(57)【要約】      （修正有）【課題】薬剤収納用バッグの内容の誤認・混同を防止できるラベルを提供する。【解決手段】薬剤収納用バッグの内容表示用ラベルに、薬剤の内容を記録した複数の剥離可能な小ラベルを設け、必要時に剥離してそれぞれの用途に使用することができる、薬剤の誤認・混同を防止する機能を有するラベルである。近年の事務処理の電子化に対処するため、バッグに収納された多種類の薬剤を表示した複数の小ラベルを含み、各薬剤の使用時にはそれぞれの小ラベルを小分けし、小ラベルを貼付して配布できる。【選択図】図１
0003153861.tif 000002
【実用新案登録請求の範囲】
【請求項１】
薬剤収納用バッグはバッグ本体１及び、その表面に貼付されたラベル２からなり、ラベル２には表面層３及び裏面層４の２層が含まれ、表面層３は裏面層４から容易に剥離可能であり、裏面層４の底面がバッグ本体１の表面に貼付された構造を有し、
表面層３にはミシン目等によって個別に剥離可能な、複数の小ラベル５が設けられ、それらの各小ラベルには何れもバッグの内部に収納された薬剤その他データの記録が可能であり、それらのラベル５を剥離して他の物品に貼付する等に使用した場合にも、少なくとも１枚のこれらのデータが記録されたラベル５が尚、元の収納用バッグ１の表面に貼付・保存された状態に保持されている、薬剤収納用バッグ。
【請求項２】
薬剤収納用バッグ本体１がプラスチックシートからなり、ラベル２は紙製で、ラベルの表面層３の内側には粘着剤が塗布され、それに対向する裏面層４の外側にはシリコン樹脂が塗布され、表面層３のみを裏面層４から容易に剥離できる構造を有する、請求項１記載の薬剤収納用バッグ。
【請求項３】
表面層３の各区画５に記載されている薬剤に関するデータに、バーコードまたは／及び２次元ドッドコードを含む、請求項１または／及び請求項２記載の薬剤収納用バッグ。
【考案の詳細な説明】
【技術分野】
【０００１】
本考案は、病院或いは薬局等で使用される薬剤の収納用バッグの内容を表示するラベルに関するものである。
【背景技術】
【０００２】
従来、病院或いは薬局等で使用される薬剤の収納用バッグは、紙製の袋の表面に予め印刷された所定の枠内に、処方された薬剤の名称、使用方法及びそれに関する注意事項、効果等の必要事項が印刷或いは手書き等で記入されていた。しかし、最近、病院或いは薬局等におけるこれらの事務処理の電子化が急速に進み、これに対応して薬剤収納用バッグのラベルの表示態様もこれらのシステムにマッチさせると共に、より迅速且つ誤りがない表示機能を有するラベルが要望されるようになっている。
【考案の概要】
【考案が解決しようとする課題】
【０００３】
従来、病院や薬局等で患者のために処方された複数種類の薬剤は、通常同一の袋に収納されている。このため患者が服用し或いは複数の診療科で、これらの複数の薬剤を使用した治療を受ける場合には、これらの関係者の間で誤認・混同が起きるおそれがある。本考案はこのような誤認・混同を防止する機能を有する、薬剤の包袋に貼付するラベルに関するものである。それらの薬剤の種類及び内容が記載された複数の小ラベルが、重複して含まれた構造を有する点に特徴を有する、薬剤の内容表示用ラベルを含む薬剤収納用バッグを開発しようとするものである。
【課題を解決するための手段】
【０００４】
前述のような目的及び機能を有する、本考案の薬剤収納用バッグに貼付されるラベルとして、その一態様の平面図を図１に、その断面図を図２に示す。これらの図に示すように、薬剤収納用バッグはバッグ本体１及び、その表面に貼付されたラベル２からなっている。更にラベル２には表面層３及び裏面層４の２層が含まれ、表面層３は裏面層４から容易に剥離可能な構造となっている。また、裏面層４の底面はバッグ本体１の表面に貼付されている。
【０００５】
表面層３には更にミシン目等によって個別に剥離可能な、複数の区画５が設けられ、それらの各区画には何れもバッグの内部に収納された薬剤その他データの記録が可能である。すなわち、１枚のラベルの中にこの薬剤収納用バッグに収納されている複数の薬剤その他のデータが記録された、小ラベルである複数の区画５が含まれている構成となっている。
【０００６】
このため、複数箇所設けられている区画５の中の１枚或いは複数枚を剥離して、他の物品例えば、小分けした薬剤の収納バッグ或いはカルテ等に貼付して使用した場合でも、尚、元の薬剤収納用バッグの表面には、剥離して使用された区画５に記載されていた内容と同じ内容が重複して記載された、別の区画５が残される構造となっている。
【０００７】
この方式によって、薬剤に関する誤りのない正確なデータを複数の必要な箇所へ提供することができると共に、ラベル２には尚それらのデータと同一内容のデータが含まれた別の区画５或いは、その他の部分に記載された元のデータが残されるように構成されている。従って、若し他の物品例えば、カルテ等に貼付して使用された区画５が剥離・紛失した場合でも、容易に同一内容を含む新しい区画５を補充することが可能である。その場合にも補充したデータは尚本体のラベルにも残される構成となっている。これは、本考案の薬剤収納用バッグの最も大きな特徴の一つである。
【０００８】
本考案の薬剤収納用バッグに含まれる各部の材質は特に限定しないが、本体１はプラスチックシートからなり、ラベル２は紙製である態様が好ましい。その他、バッグ本体には各種紙類或いは不織布等の使用も可能であり、ラベルにもプラスチックシートや不織布、セロファンその他各種の紙類等の使用も可能である。
【０００９】
本考案の薬剤収納用バッグのラベルの表面層３の内側には、粘着剤が塗布され、それに対向する裏面層４の外側にはシリコン樹脂の塗布層が設けられている態様が好ましい。これによってラベルの表面層３を随時容易に裏面層４から剥離すことができ、要すれば更に剥離した表面層３を他のバッグへ貼付することも可能であるからである。
【００１０】
本考案においてはこの表面層に設けられた１〜複数枚の区画５がこれらの目的のために使用され、容易に剥離して使用することが可能である。要すれば元のスペースへの貼戻しも可能となっている。このような機能を付与するためには、粘着剤塗布層とシリコン樹脂塗布層との組み合わせがより好ましい。要すれば尚、裏面層４の外側の一部にシリコン樹脂を塗布しない領域を設け、その部分に貼付されている区画５を剥離不能に粘着した状態に保持するか、或いはバッグ本体１の表面のその他の部分にデータ保持シートを別途貼着して保持することも可能である。
【００１１】
表面層３の各小ラベル５には、薬剤名その他、薬剤に関するデータ等が記載されて使用されるが、本考案においては通常の記載・印刷方法のみでなく、バーコードまたは／及び２次元ドッドコードも含まれ、或いはこれらの併用も可能である。これによって、より多量な情報を記録して利用することが可能となる。
【考案の効果】
【００１２】
本考案は薬剤の収納用バッグの薬剤表示方法に関するものであり、近年の事務処理の電子化に対処するため、バッグに収納された多種類の薬剤を表示した複数の小ラベルを含み、各薬剤の使用時にはそれぞれの小ラベルを小分けし、小ラベルを貼付して配布できる機能を有するバッグである。更に、元の収納用バッグにもそのデータが常に保存されているシステムとなっている、薬剤収納用バッグのラベルである。
【００１３】
尚、本考案は医療に関連した分野において使用されるものではあるが、産業上利用可能な物品の形状、構造または組み合わせのみに限定された考案であり、直接医療行為に関する要素は全く含まれていない。
【図面の簡単な説明】
【００１４】
【図１】本考案の薬剤収納用バッグの一態様の平面図を示す。
【図２】図１の薬剤収納用バッグを図１のＡ−Ａ’線で切断した断面図を示す。
【考案を実施するための形態】
【００１５】
以下、実施例を挙げて、本考案の態様について具体的に説明する。
【実施例１】
【００１６】
図１に本考案の、薬剤収納用バッグの平面図を示す。薬剤収納用バッグはバッグ本体(1) と、その表面に貼付されたラベル(2) からなっている。また、図２に図１の薬剤収納用バッグを図１の  Ａ−Ａ’線で切断した断面図を示す。
【００１７】
バッグ本体(1) は図２にその断面図を示したように、透明な表裏２枚のポリプロピレンフィルムを重ね合せ、その左右両辺及び下辺がシールされた構造になっている。バッグ本体(1)
の材質はポリプロピレン・フィルムに限定されず、その他の透明なプラスチックシート、例えば、ポリエチレン・フィルム、ポリエステル・フィルム或いはポリ塩化ビニルフィルム等も使用可能である。また、フィルムは透明なシートに限定されず、不透明でも着色されたシートでもよく、更に紙製或いは不織布等のバッグも使用可能である。
【００１８】
図１に示すように、バッグ本体(1) の表面にはラベル(2) が貼付されている。ラベル(2) は図２の断面図に示すように、表面層３及び裏面層４の２層が重ね合わされた構造となっている。ここで、ラベルの表面層３の内側には粘着剤が塗布され、それに対向する裏面層４の外側にはシリコン樹脂が塗布されている。このため表面層３のみを裏面層４から容易に剥離できる構造である。
【００１９】
またここで、バッグ本体(1) の表面の一部にシリコン樹脂を塗布し、ラベル(2) の裏面層４を省略し表面層３を、直接本体(1) の表面のシリコン樹脂を塗布した部分に、貼付して使用してもよい。
【００２０】
要すれば更に剥離した表面層３を他のバッグへ、或いは再び裏面層４に貼付することも可能である。本考案においてはこの表面層に設けられた１〜複数枚の小ラベル５がこのために使用され、容易に剥離して再使用し、要すれば元のスペースへの貼戻しも可能である。この目的のためには粘着剤塗布層と、シリコン樹脂塗布層との組み合わせがより好ましい。尚、本考案においては、表面層３と裏面層４との関係は、必ずしも粘着剤塗布層とシリコン樹脂塗布層とに限定されるものではなく、フッ素樹脂等その他の撥水性樹脂とその他の粘着剤とを組合せて使用することも可能である。
【００２１】
更に、表面層３の小ラベル５に記載されている薬剤に関するデータの記録は、通常の文字等に限定されず、バーコードまたは／及び２次元ドッドコードによる記録も含まれている。これらの複数の情報媒体の使用により、多量なデータや情報を記録し、利用することが可能となる。
【産業上の利用可能性】
【００２２】
近年のデータ処理の電子化に対処するため、バッグに収納された多種類の薬剤を誤りなく表示・使用することができるラベルである。尚、本考案は医療に関連した分野においてなされたものではあるが、産業上利用可能な物品の形状、構造または組み合わせのみに限定されているものであり、前述で詳細に述べたように直接医療行為に関する要素は全く含まれていない。
【符号の説明】
【００２３】
１  薬剤収納用バッグ本体
２  ラベル
３  ラベルの表面層
４  ラベルの裏面層
５  ラベルの表面層に設けられた小ラベル
【図２】
0003153861.tif 000003
【図１】
0003153861.tif 000004
【手続補正書】
【提出日】平成21年7月10日(2009.7.10)
【手続補正１】
【補正対象書類名】実用新案登録請求の範囲
【補正対象項目名】請求項３
【補正方法】変更
【補正の内容】
【請求項３】
表面層３の各区画５に記載されている薬剤に関するデータに、バーコードまたは／及び２次元ドッドコードを含む、請求項１または請求項２記載の薬剤収納用バッグ。